(57)【特許請求の範囲】
【請求項１】
筺体の外部に向かって溶液を分散して噴射する噴射部と、
軸線に沿って延び、かつ、一方の端部が前記噴射部に配置されて前記噴射部とともに前記軸線まわりに回転可能に支持され、かつ、内部に前記溶液が流れる流路を有する回転配管部と、
前記噴射部から噴射される前記溶液が貯留されるタンク部と、
前記タンク部の内部に配置され前記溶液を前記噴射部に向けて送り出すポンプ部と、
前記ポンプ部から送り出された前記溶液を前記回転配管部の他方の端部に導く流路を有する固定配管部と、
前記噴射部および前記回転配管部を回転させる回転駆動力を発生させる駆動部と、
前記駆動部から前記噴射部および前記回転配管部へ前記回転駆動力を伝達する伝達部と、
が設けられ、
前記回転配管部および前記噴射部は、前記駆動部および前記伝達部により前記軸線まわりに回転させられ、前記溶液は回転する前記噴射部から噴射されることを特徴とする回転噴射式防犯装置。
【請求項２】
前記噴射部、前記回転配管部、前記タンク部、前記ポンプ部、前記固定配管部、前記駆動部、および前記伝達部が内部に収納される前記筺体が更に設けられ、
前記筺体の上面には、前記筺体を天井から吊り下げて配置する吊り下げ部が設けられていることを特徴とする請求項１記載の回転噴射式防犯装置。
【請求項３】
前記噴射部は、前記筺体の下側であって前記筺体の下方向に向けて前記溶液を噴射する向きに配置されていることを特徴とする請求項２記載の回転噴射式防犯装置。
【発明の詳細な説明】
【技術分野】
【０００１】
本発明は、回転噴射式防犯装置に関する。
【背景技術】
【０００２】
従来、強盗などの犯罪者による脅迫、暴行、現金の持ち逃げ等の対策として、塗料入りのカラーボールを犯人に投げつけたり、塗料を噴霧する噴射スプレーなどが用いられたりしている（例えば、特許文献１参照。）。
【先行技術文献】
【特許文献】
【０００３】
【特許文献１】登録実用新案第３１１０８９７号公報
【発明の概要】
【発明が解決しようとする課題】
【０００４】
しかしながら、店舗内に侵入した強盗などの犯罪者に脅迫等される場合、カラーボールを備えつけていたとしても、脅された店員等は恐怖心のために何も抵抗できない可能性があるという問題があった。または、店舗の陳列棚などが邪魔をして噴射スプレーを利用しにくくなるという問題があった。
【０００５】
本発明は、上記の課題を解決するためになされたものであって、設置を容易にするとともに、犯罪の発生を未然に防ぐことができる回転噴射式防犯装置を提供することを目的とする。
【課題を解決するための手段】
【０００６】
上記目的を達成するために、本発明は、筺体の外部に向かって溶液を分散して噴射する噴射部と、一方の端部が前記噴射部に配置されて前記噴射部とともに軸線まわりに回転可能に支持され、かつ、内部に前記溶液が流れる流路を有する回転配管部と、前記噴射部から噴射される前記溶液が貯留されるタンク部と、前記タンク部の内部に配置され前記溶液を前記噴射部に向けて送り出すポンプ部と、前記ポンプ部から送り出された前記溶液を前記回転配管部の他方の端部に導く流路を有する固定配管部と、前記噴射部および前記回転配管部を回転させる回転駆動力を発生させる駆動部と、前記駆動部から前記噴射部および前記回転配管部へ前記回転駆動力を伝達する伝達部と、が設けられている回転噴射式防犯装置を提供する。
【発明の効果】
【０００７】
本発明の回転噴射式防犯装置によれば、回転配管部および噴射部を軸線まわりに回転させながら溶液を噴射させることができる。回転しながら溶液を噴射することにより、回転しない場合と比較して溶液が噴射される領域を広くすることができる。言い換えると、同じ領域に溶液を噴射する場合、本発明の回転噴射式防犯装置は、回転しないで溶液を噴射するものと比較して噴射部の大きさを小さくすることができる。ひいては、回転噴射式防犯装置の小型化を図り易くなるという効果を奏する。
【図面の簡単な説明】
【０００８】
【図１】本発明の回転噴射式防犯装置の構成を説明する模式図である。
【図２】図１の回転噴射式防犯装置の設置状態を説明する模式図である。
【図３】図１の回転噴射式防犯装置の他の設置状態を説明する模式図である。
【発明を実施するための形態】
【０００９】
この発明の一実施形態に係る回転噴射式防犯装置について、図１から図３を参照しながら説明する。
回転噴射式防犯装置１は、図１に示すように、ボックス（筺体）３と、タンク（タンク部）５と、ポンプ（ポンプ部）７と、ホース（固定配管部）９と、回転パイプ（回転配管部）１１と、シャワヘッド（噴射部）１３と、モータ（駆動部）１５と、回転ベルト（伝達部）１７と、から主に構成されている。
【００１０】
ボックス３は、回転噴射式防犯装置１の外形を構成する直方体状に形成されたものであり、内部にタンク５やポンプ７などを収納するものである。ボックス３の上面には、ボックス３を天井４１から吊り下げる天井用吊りボルト（吊り下げ部）１９が設けられている。天井用吊りボルト１９は柱状に形成された部材であり、本実施形態では、１対の天井用吊りボルト１９でボックス３が天井４１から吊り下げられる例に適用して説明する。
【００１１】
タンク５はボックス３の内部に収納されるものであり、シャワヘッド１３から噴射される溶液を内部に貯留するものである。
溶液は顔料などの着色材料を含む液体であり、衣料や靴などに付着することにより衣料等を染色するものである。上述の着色材料の種類は特に限定するものではないが、時間が経過しても沈殿しない着色材料であることが好ましい。本実施形態では水に上述の着色材料を少なくとも含ませた水溶液を溶液として用いる例に適用して説明するが、水の代わりに有機材料を用いたものであってもよい。
【００１２】
ポンプ７はタンク５に貯留された溶液を吸込み、ホース９および回転パイプ１１へ送り出し、シャワヘッド１３から溶液を噴射させるものである。本実施形態のポンプ７は、タンク５の内部に配置され、溶液に沈めて使用されるいわゆる水中ポンプである例に適用して説明する。なお、ポンプ７の形式は特に限定されるものではなく、公知の種々の形式のものを用いることができる。
【００１３】
ホース９は、ポンプ７から送り出された溶液を回転パイプ１１に導くものであり、ボックス３の内部に固定して配置されるものである。本実施形態では塩化ビニルにより形成されたホース、いわゆる塩ビホースである例に適用して説明するが、ホース９を形成する材料は特に限定するものではない。
【００１４】
回転パイプ１１は、ホース９により送られてきた溶液をシャワヘッド１３に導く円筒状に形成された部材であり、ボックス３の内部に円筒の中心軸線まわりに回転可能に支持されるものである。回転パイプ１１は上下方向に延びるように配置され、上端にはホース９が接続される。回転パイプ１１の直径はホース９の直径よりも大きく、回転パイプ１１の上端の内部にホース９が差し込まれる。回転パイプ１１の上端には、回転パイプ１１の内周とホース９の外周との間の隙間をふさぐパッキンカバー２１が設けられている。パッキンカバー２１は、例えばゴムなどの弾性材料から形成さら部品であり、ホース９および回転パイプ１１の一方に固定され、他方とは回転可能とされたものである。
【００１５】
回転パイプ１１の下端にはシャワヘッド１３が接続されている。回転パイプ１１とシャワヘッド１３とは着脱可能に組み合わされるものであってもよいし、一体に構成されたものであってもよく、限定するものではない。回転パイプ１１の円周面における上側および下側には、回転パイプ１１を中心軸線まわりに回転可能に支持するとともに、回転による振れを抑制する振止めリング２３が設けられている。さらに、回転パイプ１１の円周面には、後述する回転ベルト１７と噛み合わされるパイプ側歯車（伝達部）２５が設けられている。本実施形態では、上側の振止めリング２３と、下側の振止めリング２３との間にパイプ側歯車２５が設けられている例に適用して説明する。
【００１６】
シャワヘッド１３は、回転パイプ１１により送られてきた溶液をボックス３の外側に向けて噴射するものであり、回転パイプ１１の下側の端部に配置されるものである。また、シャワヘッド１３はボックス３の下面における開口と対応する位置に配置され、シャワヘッド１３から噴射された溶液は、ボックス３の下面の開口から下方に向かって散布される。
【００１７】
モータ１５は、回転パイプ１１およびシャワヘッド１３を回転させる駆動力を発生するものであり、ボックス３の内部に配置されるものである。モータ１５は回転軸２７が回転パイプ１１と並行に延びる姿勢で配置され、回転軸２７には後述する回転ベルト１７が噛み合わさられるモータ側歯車（伝達部）２９が設けられている。
【００１８】
回転ベルト１７は、モータ１５が発生した駆動力を回転パイプ１１に伝達するものである。回転ベルト１７には上述のパイプ側歯車２５およびモータ側歯車２９と噛み合う凹凸が形成されている。
【００１９】
また、回転噴射式防犯装置１には、ポンプ７およびモータ１５の運転停止を制御する電源スイッチ３１が設けられている。電源スイッチ３１は、商用電源３３とポンプ７との間の電流の流れ、および、商用電源３３とモータ１５との間の電流の流れをオンオフ制御するものである。
【００２０】
次に、上記の構成からなる回転噴射式防犯装置１における動作について説明する。
図１に示すように、電源スイッチ３１がオンされると、商用電源３３からポンプ７およびモータ１５へ電流が流れる。ポンプ７は電流が供給されることにより、タンク５に貯留された溶液を吸込み、シャワヘッド１３に向かって送り出す。送り出された溶液はホース９の内部、および、回転パイプ１１の内部を流れてシャワヘッド１３の内部に流入する。
【００２１】
その一方で、電流が供給されたモータ１５では、回転軸２７が回転して回転駆動力を発生させる。回転軸２７の回転はモータ側歯車２９を介して回転ベルト１７に伝達され、さらに、回転ベルト１７からパイプ側歯車２５を介して回転パイプ１１に伝達される。
【００２２】
回転パイプ１１とともに回転するシャワヘッド１３から、溶液がボックス３の下面から下方に向かって噴射される。噴射された溶液は、シャワヘッド１３を頂点とした円錐状に広がりながら下方へ落下する。
【００２３】
本実施形態の回転噴射式防犯装置１を、銀行や信用金庫など金融機関や、コンビニエンスストアや個人商店などの店舗や、郵便局などの公共施設（以降「金融機関等」と表記する。）の出入り口６１の付近の天井４１に設置した場合、図２に示すように、出入り口６１の周囲に溶液が散布される。金融機関等から強盗などの犯罪者５０が出入り口６１を通って逃走する際、回転噴射式防犯装置１から溶液を散布させる。散布された溶液は犯罪者５０の衣服または靴に付着するため、逃走した犯罪者の特定を行いやすくなる。
【００２４】
また、本実施形態の回転噴射式防犯装置１を、金融機関等における従業員６５が客と対面して業務を行うカウンター６２の付近の天井４１に設置した場合、図３にしめすように、カウンター６２の周囲に溶液が散布される。金融機関等のカウンター６２において犯罪者５０が従業員６５を脅迫した際、回転噴射式防犯装置１から溶液を散布させる。散布された溶液は犯罪者５０の衣服または靴に付着するため、逃走した犯罪者の特定を行いやすくなる。
【００２５】
上記の構成の回転噴射式防犯装置１によれば、回転パイプ１１およびシャワヘッド１３を中心軸線まわりに回転させながら溶液を噴射させることができる。回転しながら溶液を噴射することにより、回転しない場合と比較して溶液が散布される領域を広くすることができる。言い換えると、同じ領域に溶液を散布する場合、回転噴射式防犯装置１は、回転しないで溶液を散布するものと比較してシャワヘッド１３の大きさを小さくすることができる。ひいては、回転噴射式防犯装置１の小型化を図り易くなる。
【００２６】
ボックス３の上面に天井用吊りボルト１９を設けることにより、回転噴射式防犯装置１を天井４１に配置することができる。また、天井４１からボックス３を吊り下げることにより、回転噴射式防犯装置１が設置される高さを調整することができる。高さを調整可能とすることにより、シャワヘッド１３から噴射される溶液が散布される範囲を調整しやすくなる。さらに、天井用吊りボルト１９を設けることにより、天井４１とボックス３との間を含むボックス３の周囲に空間が確保される。ボックス３の周囲に空間を確保することにより、回転噴射式防犯装置１を設置する際、タンク５に溶液を補充・交換する際、ポンプ７やモータ１５を点検・修理する際に、作業員がボックス３の内部にアクセスしやすくなる。
【００２７】
ボックス３の下側に向けて溶液を噴射することにより、横側や上側に噴射する場合と比較して、噴射される溶液が散布される範囲を調整しやすくなる。例えば、回転噴射式防犯装置１が店舗に取り付けられた場合、噴射された溶液が店舗内に陳列された商品等に付着しないことが望ましい。つまり、溶液がボックス３の横側や上側に噴射されると、噴射された溶液が商品等に付着する可能性があり好ましくない。これに対して、ボックス３の下側に噴射する場合には、溶液が散布される領域を調整しやすく、溶液が商品等に付着することを防ぎやすくなる。
【符号の説明】
【００２８】
１…回転噴射式防犯装置、３…ボックス（筺体）、５…タンク（タンク部）、７…ポンプ（ポンプ部）、９…ホース（固定配管部）、１１…回転パイプ（回転配管部）、１３…シャワヘッド（噴射部）、１５…モータ（駆動部）、１７…回転ベルト（伝達部）、１９…天井用吊りボルト（吊り下げ部）、２５…パイプ側歯車（伝達部）、２９…モータ側歯車（伝達部）
【要約】
【課題】設置を容易にするとともに、犯罪の発生を未然に防ぐことができる回転噴射式防犯装置を提供する。
【解決手段】筺体３の外部に向かって溶液を分散して噴射する噴射部１３と、一方の端部が噴射部１３に配置されて噴射部１３とともに軸線まわりに回転可能に支持され、かつ、内部に溶液が流れる流路を有する回転配管部１１と、噴射部１３から噴射される溶液が貯留されるタンク部５と、タンク部５の内部に配置され溶液を噴射部に向けて送り出すポンプ部７と、ポンプ部７から送り出された溶液を回転配管部１１の他方の端部に導く流路を有する固定配管部９と、噴射部１３および１１回転配管部を回転させる回転駆動力を発生させる駆動部１５と、駆動部１５から１３噴射部および回転配管部１１へ回転駆動力を伝達する伝達部１７と、が設けられていることを特徴とする。
【選択図】  図１【図１】
0005890579.tif 000002
【図２】
0005890579.tif 000003
【図３】
0005890579.tif 000004